(57)【要約】【課題】  ハンドルをどの角度にも傾斜させることができ、高い安定性を有するモップヘッドを提供する。【解決手段】  本発明は、モップを装着するヘッド本体１０に継手部１５を介してハンドルを回動可能に支持するモップヘッドにおいて、前記ヘッド本体１０の中央部に、弾性部材８１が収容されると共に、前記継手部１５は、該弾性部材８１の付勢力を受けつつヘッド本体１０に前後方向で回動可能に軸支される第一継手部材２０と、該第一継手部材２０に左右方向で回動可能に軸支される第二継手部材３０とを備えるようにした。【選択図】    図２
2005168972.tif 000002
【特許請求の範囲】
【請求項１】
モップを装着するヘッド本体（１０）に継手部（１５）を介してハンドルを回動可能に支持するモップヘッドにおいて、前記ヘッド本体（１０）の中央部に、弾性部材（８１）が収容されると共に、前記継手部（１５）は、該弾性部材（８１）の付勢力を受けつつヘッド本体（１０）に前後方向で回動可能に軸支される第一継手部材（２０）と、該第一継手部材（２０）に左右方向で回動可能に軸支される第二継手部材（３０）とを備えることを特徴とするモップヘッド。
【発明の詳細な説明】
【技術分野】
【０００１】
本発明は、モップを装着するヘッド本体に継手部を介してハンドルを回動可能に支持するモップヘッドに関する。
【背景技術】
【０００２】
この種のモップヘッドとして、特許文献１に記載されたものが公知である。図５は、その斜視図、図６は、図５のＩＩＩ−ＩＩＩ線断面図を示すが、かかるモップヘッドは、偏平な矩形箱状のヘッド本体１０１と、該ヘッド本体１０１の上面における継手部１１０とから構成され、該継手部１１０にパイプ状のハンドル１０６が取り付けられるようになっている。より具体的には、継手部１１０は、ヘッド本体１０１の上面から突出する左右一対のＬ字状の支持アーム１０９，１０９間に形成された球状部１１５と、該球状部１１５に嵌合凹部１１６にて嵌合する先端部１１１を有する柄１０５とから構成され、該柄１０５の反対側の端部にハンドル１０６が嵌合接続されるようになっている。
【０００３】
柄１０５の先端部１１１には、支持アーム１０９の径よりも若干大きくて支持アーム１０９が通過しうる幅を有する割り溝１２２が形成されており、さらに、先端部１１１を前後に貫通する貫通孔１２１が形成されている。また、割り溝１２２の内周面の下端部分には、嵌合凹部１１６の下端からテーパー状に拡径するガイド切欠き１２６が形成され、球状部１１５を嵌め易くしている。
【０００４】
このように構成されたモップヘッドを組み立てるには、球状部１１５にガイド切欠き１２６をあてがい、先端部１１１を押し込んで球状部１１５の上方から嵌合させる。これにより、球状部１１５は、先端部１１１に一定圧で締め付けられた状態で保持される。
【特許文献１】特開平１０−３１４０９４号公報
【発明の開示】
【発明が解決しようとする課題】
【０００５】
しかしながら、特許文献１に記載されたモップヘッドによれば、継手部１１０の強度を保つために、先端部１１１を太く形成しなければならず、それにともなって、球状部１１５も太く形成しなければならない。その結果として、継手部１１０の回動中心が床面に対して高い位置に存在することとなる。つまり、球状部１１５の中心が床面から離れる分、ハンドル１０６から受ける力に対するヘッド本体１０１の安定性が悪くなるため、例えば、清掃中に床面との摩擦抵抗によってモップが突っ掛かると、ヘッド本体１０１が反転し易くなり、使い勝手の悪いものとなる。
【０００６】
そこで、このような問題を解消するために、継手部１１０の回動中心位置を低く設定することが考えられる。そのためには、球状部１１５を低く形成すればよいが、その分、先端部１１１を薄く形成せざるを得ず、その結果として、柄１０５の強度が弱く割れやすいものとなる。
【０００７】
さらに、上記構成からなるモップヘッドは、柄１０５を左右方向に傾けた姿勢から前後方向に回動する場合、柄１０５が支持アーム１０９に当たるので、柄１０５は前後方向に略９０°しか回動することができない。すなわち、上記モップヘッドは、ハンドル１０６を倒すことができない角度が存在するため、使い勝手の悪いものである。
【０００８】
本発明は、上記問題を鑑みてなされたもので、ハンドルをどの角度にも傾斜させることができ、かつ、高い安定性を有するモップヘッドを提供することを課題とする。
【課題を解決するための手段】
【０００９】
上記課題を解決するために、本発明に係るモップヘッドは、モップを装着するヘッド本体１０に継手部１５を介してハンドルを回動可能に支持するモップヘッドにおいて、前記ヘッド本体１０の中央部に、弾性部材８１が収容されると共に、前記継手部１５は、該弾性部材８１の付勢力を受けつつヘッド本体１０に前後方向で回動可能に軸支される第一継手部材２０と、該第一継手部材２０に左右方向で回動可能に軸支される第二継手部材３０とを備えることを特徴とするものである。
【００１０】
上記構成からなるモップヘッドは、ヘッド本体１０の中央部に弾性部材８１を収容し、該弾性部材８１の付勢力を受けつつ前後方向に回動する第一継手部材２０を備えたので、第一継手部材２０は、弾性部材８１との接触面に圧力がかかり、不用意な前後方向の回動が抑制される。すなわち、ハンドルの傾斜角度によらず、ハンドルから受ける力に対するヘッド本体１０の安定性が向上し、拭取作業をスムーズに行うことができる。
【００１１】
さらに、左右方向に回動する第二継手部材３０を備えたので、第二継手部材３０を左右方向に傾けた姿勢からであっても、第一継手部材２０を前後方向に１８０°回動させることができる。従って、ハンドルは、ヘッド本体１０上のいかなる角度にも傾斜させることができる。
【００１２】
そして、ハンドルを回動させるための継手部１５を前後方向と左右方向の二つに分割させたので、前後方向における継手部１５の回動中心位置を床面に近付けることができ、この点においても、ヘッド本体１０の安定性が向上する。
【発明の効果】
【００１３】
このように、本発明に係るモップヘッドは、ハンドルをあらゆる角度に傾斜させることができ、かつ、高い安定性を有することができる。
【発明を実施するための最良の形態】
【００１４】
以下、本発明の一実施形態に係るモップヘッドについて図面を参酌しつつ説明する。
【００１５】
図１は、本実施形態に係るモップヘッドの斜視図である。モップヘッドは、ヘッド本体１０と、第一継手部材２０及び第二継手部材３０からなる継手部１５とを備えて構成されている。
【００１６】
ヘッド本体１０は、略矩形の箱状を有し、下面に形成された溝に、掛止部材４０ａ，４０ｂが嵌り込んでおり、長手方向の両端部から、掛止部材４０ａ、４０ｂを構成する略Ｄ字形状のモップ挿入部４１ａ，４１ｂが突出した形態となっている。この掛止部材４０ａ，４０ｂは、モップを取り付けるための部材であり、図示していないが、モップの両端に設けた袋状の取付部にモップ挿入部４１ａ，４１ｂが挿入されるようになっている。
【００１７】
第一継手部材２０は、ヘッド本体１０の中央部の上面に一端が軸支され、ヘッド本体１０の短軸方向（前後方向）に１８０°回動可能となっている。第二継手部材３０は、一端に２つ割りの把持部３１，３１を形成し、第一継手部材２０の他端に軸支され、ヘッド本体１０の長手方向（左右方向）に１８０゜回動可能となっている。そして、第二継手部材３０の他端には、ハンドル（図示せず）を嵌挿するために、一端の径よりも小さい径を有するハンドル連結部３４が形成されている。ハンドル連結部３４の側面の軸方向に沿って設けられたロック部材３５は、ハンドルを嵌挿したときに、該ハンドルの内側に形成された係止部と係止して、ハンドルを抜け止めするためのものである。
【００１８】
このように、継手部１５は、第一継手部材２０がヘッド本体１０の前後方向に１８０°回動され、さらに、第二継手部材３０がヘッド本体１０の左右方向に１８０°回動されるもので、ハンドルの回動を二つの継手部材２０，３０に分けて行うようにしたので、二つの継手部材２０，３０の回動する角度を組み合わせることにより、ハンドルの傾斜角度は、ヘッド本体１０上を全てカバーすることができる。
【００１９】
次に、モップヘッドの断面図を図示して、詳細に説明する。図２は、図１のＩ−Ｉ線部分断面図である。第一継手部材２０は、第二継手部材３０の把持部３１，３１に把持される逆Ｕ字形状の支持部２１と、ヘッド本体１０に軸支されて回動可能な略円柱状の摺動部２２とが一体的に形成されている。支持部２１の両側面には、把持部３１，３１の対向面に設けた枢支溝３３，３３に嵌入される枢支軸２３，２３が突出して形成されており、第一継手部材２０に対して第二継手部材３０を回動自在にしている。これにより、第二継手部材３０は、図２の紙面に対し左右に１８０°回動することができる。また、第一継手部材２０の摺動部２２には、その両側面にヘッド本体１０と係合するための軸２４，２４が突出して形成されている。該軸２４，２４は、上部に断面を有する半円の円柱状に形成され、軸２４，２４の上部側面から下方側面に向かって勾配が形成されている。
【００２０】
次に、ヘッド本体１０の形状について説明する。なお、説明を容易にするために、ヘッド本体１０を以下に示す部分に分けて説明する。
【００２１】
ヘッド本体１０は、第一継手部材２０を両側面から挟むヘッド本体上面部１０ａ及びヘッド本体側面部１０ｂと、ヘッド本体上面部１０ａの下面と摺動可能に当接している解除部材５０を下方から支えるヘッド本体下面部１０ｃと、ヘッド本体１０の底面を構成するヘッド本体底部１０ｄと、その中央部分に設けられ、第一継手部材２０の下面に設置したバネ８１を収容するヘッド本体バネ受部１０ｅとから構成されている。
【００２２】
ヘッド本体上面部１０ａ及びヘッド本体側面部１０ｂには、第一継手部材２０を挟む側面に突出部１２，１２が設けられている。該突出部１２，１２の上部は、第一継手部材２０を挿入容易にするために、角部分が切り欠かれており、さらに、軸２４，２４の上部と当接するための爪部１１，１１を有する。
【００２３】
解除部材５０は、内部にバネ８２を収容するための断面略コ字形状の収容部分を有し、外部側面は、指で押圧しやすいように、曲面状に形成されている。さらに、解除部材５０は、一端寄りの下面から、さらに下方へ延びる係合部５１を形成し、その先端が第一掛止部材４０ａと係合するように、第一掛止部材４０ａ方向に突出している。解除部材５０の下面は、係合部５１から外部方向が、ヘッド本体下面部１０ｃと当接し、係合部５１から内部方向が、ヘッド本体底部１０ｄと当接している。また、ヘッド本体底部１０ｄの一端にはスライド止め部１３が形成されているが、これは、解除部材５０を押圧した際に、解除部材５０がヘッド本体１０から抜け出さないようにするために、係合部５１と係止するものである。
【００２４】
なお、ヘッド本体側面部１０ｂの外形は、他方の外形（つまり、ヘッド本体上面部１０ａ、解除部材５０及びヘッド本体下面部１０ｃ）と形状が略同一になるように形成されているが、これに限るものではない。
【００２５】
続いて、ヘッド本体バネ受部１０ｅには、コイルスプリングのバネ８１が収容されており、さらに、バネ８１の上面からバネを収容するように断面略コ字状のバネ受部材７０が被装されている。
【００２６】
上記構成からなるヘッド本体１０に第一継手部材２０を組み立てるには、まず、ヘッド本体バネ受部１０ｅにバネ８１を収容し、上方からバネ受部材７０を被装する。続いて、第一継手部材２０を挿通する。このとき、第一継手部材２０は、軸２４，２４に形成された勾配に沿って、爪部１１，１１を通過するが、爪部１１，１１の先端と軸２４，２４が当接するところで、第一継手部材２０をさらに押し込むことにより、爪部１１，１１は、軸２４，２４を乗り越えて、軸２４，２４の上部断面と当接する。
【００２７】
これにより、第一継手部材２０はヘッド本体１０から抜け出すことなく、かつバネ８１の付勢力をバネ受部材７０を介して第一継手部材２０の当接面に伝えることができるので、第一継手部材２０はバネの規制を受けながら回動する。
【００２８】
次に、解除部材５０の動作について説明する。解除部材５０は、内部の収容部にバネ８２を収容している。バネ８２は、収容部分よりもはみ出す大きさを有し、バネ８２のはみ出した端部がヘッド本体上面部１０ａに形成された突出部１２と当接している。
【００２９】
そして、バネ８２の付勢力に逆らって、解除部材５０の側面が突出部１２に当接するまで押圧すると、係合部５１が、スライド止め部１３に係止され、第一モップ挿入部４１ａとの係合を解除する。
【００３０】
図３は、図１のＩＩ−ＩＩ線部分断面図である。ヘッド本体１０は、ヘッド本体バネ受部１０ｅの左右に、モップ挿入部４１ａ，４１ｂの軸部分を構成する第一固定部４２ａ，第二固定部４２ｂをそれぞれ収容する収容部が形成されている。さらに、ヘッド本体バネ受部１０ｅの側面から、上方に延びる突起部が形成され、それぞれの先端が第一継手部材２０の摺動部２２の側面に当接している。
【００３１】
従って、第一継手部材２０は、バネ８１の付勢力を受けながら、摺動部２２の両側面二箇所で当接する突起部分で支持されて回動することができる。また、第一継手部材２０は、二点鎖線で示すように、ヘッド本体１０と平行位置に達するまで回動することができる。
【００３２】
図４は、モップヘッドの背面図である。第一掛止部材４０ａは、一端に略Ｄ字状の枠形状を有する第一モップ挿入部４１ａから延びる一対の第一固定部４２ａ，４２ａが平行に形成されている。同様に、第二掛止部材４０ｂは、一端に略Ｄ字状の枠形状を有する第二モップ挿入部４１ｂから延びる一対の第二固定部４２ｂ，４２ｂが平行に形成されている。このとき、第二固定部４２ｂ，４２ｂは、第一固定部４２ａ，４２ａの内側と配置されるように形成されている。
【００３３】
第一固定部４２ａ，４２ａ及び第二固定部４２ｂ，４２ｂと、それらとが接続される第一モップ挿入部４１ａ及び第二モップ挿入部４１ｂの一部が、ヘッド本体１０の背面に形成された溝に嵌り込んでいる。
【００３４】
そして、第一固定部４２ａ，４２ａの一端には、外方向に第一枢支軸４３ａ，４３ａが突出して設けられ、ヘッド本体１０に形成された第一枢支溝１４ａ，１４ａに嵌入される一方、第二固定部４２ｂ，４２ｂの一端には、内側方向に第二枢支軸４３ｂ，４３ｂが突出して設けられ、ヘッド本体１０に形成された第二枢支溝１４ｂ，１４ｂに嵌入されている。
【００３５】
また、第二固定部４２ｂ，４２ｂには、第一固定部４２ａ，４２ａと対向する側面に、係止溝４４ｂ，４４ｂが長手方向に沿って形成される一方、係止溝４４ｂ，４４ｂ内を摺動する軸４４ａ，４４ａが第一固定部４２ａ，４２ａの内側側面に突出して形成されている。
【００３６】
さらに、第一モップ挿入部４１ａの長い軸上には、解除部材５０の係合部５１と係合される係止部４５ａを有する。
【００３７】
上記構成により、解除部材５０を押圧し、係合部５１の係合が解かれると、第一掛止部材４０ａが第一枢支軸４３ａ，４３ａを中心に回転して垂下する。そして、この動作に連動して、軸４４ａ，４４ａが係止溝４４ｂ，４４ｂの他端側へ摺動するので、第二掛止部材４０ｂが第二枢支軸４３ｂ，４３ｂを中心に回転して垂下する。
【００３８】
これにより、モップ挿入部４１ａ，４１ｂの間隔が狭まるため、モップの着脱を容易にし、さらに、新たなモップを装着後、ヘッド本体１０の底面を床面に当接して、モップ挿入部４１ａ，４１ｂを押し広げるようにすれば、解除部材５０の係合部５１が係止部４５ａと係合し、モップがヘッド本体１０に装着される。
【００３９】
以上、本実施形態に係るモップヘッドは、ヘッド本体１０の中央部にバネ８１を収容し、バネ８１の付勢力を受けつつヘッド本体１０に前後方向で回動可能に軸支される第一継手部材２０と、該第一継手部材２０に左右方向で回動自在に軸支される第二継手部材とを備えるようにした。これにより、第一継手部材２０は、バネ８１との接触面に圧力がかかるので、不用意な回動が抑制されることとなる。すなわち、ハンドルの傾斜角度によらず、ハンドルから受ける力に対するヘッド本体１０の安定性が向上し、拭取作業をスムーズに行うことができる。
【００４０】
しかも、モップヘッドの継手部１５は、互いに直交する方向に回動するように二つに分けて（継手部材２０，３０）軸支させたので、前後方向における継手部１５の回動中心位置を床面に近付けることができ、この点においても、ヘッド本体１０の安定性を向上することができる。ひいては、清掃中に床面との摩擦抵抗によってモップが突っ掛かっても、ヘッド本体１０が反転することはなく、スムーズに拭取作業を行うことができる。従って、モップが乾燥状態である場合は勿論、水やワックスなどをしみ込ませて摩擦抵抗が大きくなるウェット状態であっても問題なく使用することができる。
【００４１】
また、二つの継手部材２０，３０の回動する角度を組み合わせることにより、ハンドルの傾斜角度は、ヘッド本体１０上を全てカバーすることができる。
【００４２】
なお、本発明は上記実施形態に限定されるものではなく、本発明の要旨を逸脱しない範囲にて種々の変更が可能である。
【００４３】
具体的には、上記実施形態においては、第一継手部材２０をヘッド本体１０に取り付ける際には、まず、バネ８１をヘッド本体バネ受部１０ｅに収容した後に取り付けるようにしたが、この取付方法に限るものではない。例えば、まず、第一継手部材２０をヘッド本体１０に挿入し、次いで、バネ受部材７０をヘッド本体底部１０ｄから挿入し、さらにバネ８１を挿入した後に、ヘッド本体バネ受部１０ｅを取り付けるようにしてもよい。
【００４４】
また上記実施形態においては、一対のモップ挿入部４１ａ，４１ｂが連動して移動することにより、モップを着脱させるモップヘッドについて説明したが、これに限るものではない。例えば、モップ挿入部はヘッド本体に固定されていて、モップの袋状部を手動ではめ込むものであってもよい。
【００４５】
さらに、上記実施形態においては、ハンドルが継手部１５と着脱自在となっているが、これに限るものではない。例えば、ハンドルと継手部１５とが固定されて一体化されているものであってもよい。
【図面の簡単な説明】
【００４６】
【図１】本実施形態に係るモップヘッドの斜視図を示す。
【図２】図１のＩ−Ｉ線部分断面図を示す。
【図３】図１のＩＩ−ＩＩ線部分断面図を示す。
【図４】同実施形態に係るモップヘッドの背面図を示す。
【図５】従来のモップヘッドの斜視図を示す。
【図６】図５のＩＩＩ−ＩＩＩ線断面図を示す。
【符号の説明】
【００４７】
１０…ヘッド本体
１５…継手部
２０…第一継手部材
３０…第二継手部材
８１…バネ（弾性部材）
【図１】
2005168972.tif 000003
【図２】
2005168972.tif 000004
【図３】
2005168972.tif 000005
【図４】
2005168972.tif 000006
【図５】
2005168972.tif 000007
【図６】
2005168972.tif 000008